(57)【特許請求の範囲】
【請求項１】
用途に合わせて光学式の読取部品を交換することにより、複数の機能の中から必要な機能を選択して実装する媒体処理装置において、
前記読取部品を用途毎にケース内に移動可能に実装または固定してユニット化するものとし、
前記読取部品に、該読取部品を移動させるための移動手段としてのベルトの固定と、前記ケース内の所定位置への前記読取部材の固定が可能な固定部を設け、前記読取部品を前記ケース内に移動可能に実装する場合は前記固定部にベルトを固定し、前記読取部品を前記ケース内に固定する場合は前記読取部を取付け部材により前記固定部に固定することでユニット化して、
このユニット化した読取部品を、前記ケースの一部が媒体搬送路の媒体ガイドとなるように媒体搬送路に取り付けたことを特徴とする媒体処理装置。
【請求項２】
請求項１において、
前記ユニット化した読取部品のケースは、媒体搬送路の媒体ガイドを構成する部分と媒体の読取面とを一体に形成した透明なロアカバーと、該ロアカバーに取り付けられるアッパーカバーとより構成されることを特徴とする媒体処理装置。
【請求項３】
請求項２において、
前記読取面は、その周囲の部分より凹ませた形状としたことを特徴とする媒体処理装置。
【請求項４】
請求項２または３において、
前記ロアカバーの媒体搬送路を構成する部分に、該ロアカバーと装置の媒体搬送路の媒体ガイドとの間で媒体を受け渡す媒体搬送ガイドを一体に設けたことを特徴とする媒体処理装置。
【発明の詳細な説明】
【０００１】
【発明の属する技術分野】
本発明は、金融機関等に設置され、オペレータ等の操作者がセットした通帳や伝票等の媒体を取り込み、磁気ストライプの読み書き処理や、所定の印字処理を行う通帳伝票プリンタと呼ばれる媒体処理装置に関するもので、特に、通帳のページマーク等を読み取る機構に関するものである。
【０００２】
【従来の技術】
通帳伝票プリンタでは、媒体に記録された各種データを読み取る機構が実装されている。媒体に記録されるデータとして、通帳にはページマークと呼ばれるページを認識するためのマークが印刷されており、通帳伝票プリンタには、媒体に記録された各種データを読み取る機構として、このページマークを読み取るセンサを設けて、取り込んだ通帳の開いているページを認識して、印字等の処理を行っていた。
【０００３】
【発明が解決しようとする課題】
通帳のページマークは、金融機関毎に設けられる位置が異なる。そのため、従来は、ページマークを読み取るセンサの設ける位置の異なる複数種類の通帳伝票プリンタを製造していた。このように、種類の異なる製品を製造することは、製品のコスト上昇の原因となっていた。また、金融機関毎に位置の異なるページマークに対応できるように、複数のセンサを設けると、通帳伝票プリンタの構造は統一できるが、複数のセンサを設けることで、コストの上昇の原因となっていた。
【０００４】
【課題を解決するための手段】
上述した課題を解決するため、本発明の請求項１に係る発明は、用途に合わせて光学式の読取部品を交換することにより、複数の機能の中から必要な機能を選択して実装する媒体処理装置において、前記読取部品を用途毎にケース内に移動可能に実装または固定してユニット化するものとし、前記読取部品に、該読取部品を移動させるための移動手段としてのベルトの固定と、前記ケース内の所定位置への前記読取部材の固定が可能な固定部を設け、前記読取部品を前記ケース内に移動可能に実装する場合は前記固定部にベルトを固定し、前記読取部品を前記ケース内に固定する場合は前記読取部を取付け部材により前記固定部に固定することでユニット化して、このユニット化した読取部品を、前記ケースの一部が媒体搬送路の媒体ガイドとなるように媒体搬送路に取り付けたことを特徴とする。
【０００５】
本発明の請求項２に係る発明は、請求項１に係る発明において、前記ユニット化した読取部品のケースは、媒体搬送路の媒体ガイドを構成する部分と媒体の読取面とを一体に形成した透明なロアカバーと、該ロアカバーに取り付けられるアッパーカバーとより構成されることを特徴とする。
本発明の請求項３に係る発明は、請求項２に係る発明において、前記読取面は、その周囲の部分より凹ませた形状としたことを特徴とする。
本発明の請求項４に係る発明は、請求項２または３に係る発明において、前記ロアカバーの媒体搬送路を構成する部分に、該ロアカバーと装置の媒体搬送路の媒体ガイドとの間で媒体を受け渡す媒体搬送ガイドを一体に設けたことを特徴とする。
【００１１】
【発明の実施の形態】
図１は、本発明の媒体処理装置の実施の形態の一例を示す説明図である。この図１は、通帳伝票プリンタの印字ユニットを示し、図１（ａ）は平面図、図１（ｂ）は正面図である。なお、図１（ａ）においては、後述する読取ユニットを外した状態を示している。図２は印字ユニットの要部側面図、図３は読取ユニットの外観斜視図である。
【００１２】
１は印字ヘッド部である。この印字ヘッド部１は、ワイヤドット方式の印字ヘッド２、この印字ヘッド２を支持するキャリッジ３、印字ヘッド２の保護や媒体をガイドするガイド４等で構成される。
５は印字ヘッド部１に対向配置されるプラテンである。
６はメインシャフト、７はこのメインシャフト６と平行に設けられるサブシャフトで、印字ヘッド部１は、このメインシャフト６とサブシャフト７にガイドされて移動する。メインシャフト６とサブシャフト７は、アッパーフレームユニット８を構成する右アッパーフレーム８ａと左アッパーフレーム８ｂにより、それぞれその両端を支持されている。
【００１３】
９はロアフレームユニットで、このロアフレームユニット９に、前記プラテン５、このプラテン５を上下動可能に支持する機構、プラテン駆動用のパルスモータ、媒体を搬送する搬送フィードローラ１０、媒体搬送路を構成する上面ガイド１１ａおよび下面ガイド１１ｂ等が実装されている。また、送路を構成するガイドやローラ等が実装されている。また、アッパーフレームユニット８は、メインシャフト６の取り付け部を支点にして、ロアフレームユニット９に対して開閉可能となっている。
【００１４】
１２は読取ユニットで、通帳に印刷されたページマークや印字済行等を読み取る。
１３は前記読取ユニット１２を印字ユニットに取り付けるための読取ユニット取付部である。
この読取ユニット取付部１３は、上面ガイド１１ａの一部を、媒体搬送路の幅方向全域にわたり切り欠いて形成したものである。
【００１５】
１４は読取ユニット取付部１３に設けた溝部である。この溝部１４は、読取ユニット取付部１３を構成する上面ガイド１１ａを切り欠いてなる部分の、該上面ガイド１１ａのそれぞれの媒体搬送方向端部に、複数の切り欠きを設けて形成したものである。
読取ユニット１２は、ケース内にＬＥＤやＣＣＤセンサ等で構成される後述する読取センサ等の読取部品を実装するもので、ケースはロアカバー１２ａとアッパーカバー１２ｂとより構成される。
【００１６】
１５は読取ユニット１２に設けた取付部である。この取付部１５は、前記読取ユニット取付部１３に嵌まるように、媒体搬送路の幅方向全域にわたる幅を有し、かつ、媒体搬送方向には、読取ユニット取付部１３を構成する上面ガイド１１ａを切り欠いてなる部分の、媒体搬送方向の間隔とほぼ同じで、この間隔に嵌まる長さを有する突出部をロアカバー１２ａの底部に一体に形成してなる。これにより、読取ユニット１２を読取ユニット取付部１３に取り付けると、読取ユニット１２の取付部１５が読取ユニット取付部１３を構成する上面ガイド１１ａを切り欠いてなる部分に入り込み、上面ガイド１１ａの一部を構成する。
【００１７】
１６は読取ユニット１２に設けたガイド部で、このガイド部１６は、前記取付部１５の媒体搬送方向前後に、該取付部１５と一体にロアカバー１２ａに形成され、読取ユニット１２を読取ユニット取付部１３に取り付けると、このガイド部１５が前記溝部１４に入る位置に設けられている。これにより、読取ユニット１２を読取ユニット取付部１３に取り付けると、読取ユニット１２の取付部１５のガイド部１６が設けられた部分と、ガイド部１６が設けられていない部分とでは、読取ユニット１２に取付部１５と読取ユニット取付部１３の隙間が入れ子状の配置となって、媒体搬送路の幅方向全域にわたり一直線に並ぶ隙間を形成しないようにしたので、搬送フィードローラ１０により搬送される媒体が、読取ユニット１２に取付部１５と読取ユニット取付部１３の隙間に入って搬送障害を引き起こすということがない。
【００１８】
１７は読取ユニット１２の前記取付部１５に形成した読取面、１８はこの読取面１７と一体に該読取面１７の媒体搬送方向両端に設けた突起部で、読取面１７を突起部１８より低い面として、媒体が読取面１７に接触することで汚れが該読取面１７に付着するということを防ぎ、メンテナンスコストの低減を図る。
１９は読取ユニット１２の一方の端部に設けた取付アーム、２０はこの取付アーム１９に設けた突起、２１はロアフレームユニット９に設けた取付フックで、前記取付アーム１９の突起２０を取付フック２１に引っかけることで、取付ユニット１２はロアフレームユニット９に対して突起２０を支点に回転自在に取り付けられ、該読取ユニット１２を読取ユニット取付部１３に載せてセットした状態から、突起２０を支点に上方に回転させて読取ユニット取付部１３上を開放した状態として、保守等を行える状態に、読取ユニット１２をロアフレームユニット９から取り外すことなく行える。また、突起２０を取付フック２１から外せば、読取ユニット１２が交換可能となる。なお、読取ユニット１２の開閉や交換は、アッパーフレームユニット８を開いて行うもので、読取ユニット１２を読取ユニット取付部１３に取り付けた状態でアッパーフレームユニット８を閉じると、読取ユニット１２の両端に設けた耳部２２を右アッパーフレーム８ａおよび左アッパーフレーム８ｂで押さえて、読取ユニット１２を印字ユニットに固定する。
【００１９】
次に、通帳伝票プリンタの全体の構成の概略を説明する。図４は通帳伝票プリンタの外観斜視図、図５は通帳伝票プリンタの概略構成図である。
通帳伝票プリンタは、その正面側に、種類の異なる媒体を受け入れるため、２段のステージが設けてある。ここでは、上の段が媒体の中の伝票等を受け入れるための伝票ステージ２５ａで、下の段が媒体の中の通帳等を受け入れるための通帳ステージ２５ｂである。２６はオペレータが操作をするボタン等が設けられた操作部である。
【００２０】
２７ａは通帳伝票プリンタ内の正面側に実装されるインサータユニットである。このインサータユニット２７ａは、オペレータによる通帳や伝票等の媒体のセットを受け、セットされた媒体を取り込んだり、処理の終了した媒体を排出する機能等を備える。
２７ｂは前記インサータユニット２７ａに続いて該インサータユニット２７ａの後ろ側に実装される印字ユニットである。この印字ユニット２７ｂは、媒体への印字、通帳に印刷されたページマークの読み取り、および印字のための印字済行の読み取り等の機能を備える。
【００２１】
２７ｃは前記印字ユニット２７ｂに続いて該印字ユニット２７ｂの後ろ側に実装されるオートターンページ（ＡＴＰ）ユニットである、このＡＴＰユニット２７ｃは、取り扱う媒体のうち、通帳のページめくりを行う機能を有する。
次に、インサータユニット２７ａの説明を行う。
２８ａは伝票ステージ２５ａおよび通帳ステージ２５ｂにおいて媒体を搬送する搬送フィードローラ、２８ｂは前記搬送フィードローラ２８ａに媒体を押し付ける搬送プレッシャローラである。
【００２２】
２９ａは媒体を基準面に突き当てるための搬送を行う幅寄せフィードローラ、２９ｂは前記幅寄せフィードローラ２９ａに媒体を押し付ける幅寄せプレッシャローラである。
３０は前記伝票ステージ２５ａによる搬送経路と通帳ステージ２５ｂによる搬送経路の合流点に設けられたブレードで、媒体の搬送方向を切り換える。
【００２３】
なお、図示しないが、通帳ステージ２５ｂには、磁気ヘッドが設けてある。
次に印字ユニット２７ｂの説明を行う。
印字ユニット２７ｂは、上述したようにアッパーフレームユニット８とロアフレームユニット９より構成され、アッパーフレームユニット８には、印字ヘッド部１とこの印字ヘッド部１を支持するメインシャフト６とサブシャフト７等が実装され、ロアフレームユニット９には、プラテン５、このプラテン５を上下動可能に支持する機構、プラテン駆動用のパルスモータ、媒体を搬送する搬送フィードローラ１０、媒体搬送路３１を構成する上面ガイド１１ａおよび下面ガイド１１ｂ等が実装され、さらに、読取ユニット取付部１３に読取ユニット１２が取付られている。
【００２４】
媒体搬送路３１の装置正面側は、前記インサータユニット２７ａのブレード３０の部分と繋がり、印字ユニット２７ｂで処理の終了した媒体を排出する場合、その媒体の種類に応じてブレード３０が作動し、媒体搬送路３１を搬送される媒体が伝票ステージ２５ａか通帳ステージ２５ｂに送り込まれる。また、ブレード３０を作動させて通帳ステージ２５ｂと媒体搬送路３１を接続しておき、通帳ステージ２５ｂにセットされた媒体（通帳）を媒体搬送路３１に送り込むか、ブレード３０を作動させて伝票ステージ２５ａと媒体搬送路３１を接続しておき、伝票ステージ２５ｂにセットされた媒体（伝票）を媒体搬送路３１に送り込むことができるようになっている。
【００２５】
次にＡＴＰユニットの説明を行う。
３２はＡＴＰユニット２７ｃに設けられた媒体搬送路で、媒体を搬送する搬送フィードローラ３３と、媒体をガイドする上下のガイド部３４等から構成される。この媒体搬送路３２の装置正面側は、前記印字ユニット２７ｂの媒体搬送路３１の装置後ろ側と繋がり、ページめくりが必要と判断された通帳が媒体搬送路３１から送り込まれ、ページめくりの終わった通帳を媒体搬送路３１に送り込む。３５は通帳のページめくりを行うはね上げローラ、３６はこのはね上げローラ３５に対向配置されたプレッシャローラである。
【００２６】
次に、読取ユニット１２の詳細な説明を行う。
図６はロアカバーの斜視図、図７は読取ユニット１２内に実装される読取部品の斜視図である。
３７はロアカバー１２ａに一体に形成したフック部で、このフック部３７を利用して、読取部品３８を取り付ける。
【００２７】
読取部品３８は、その両側に突出形成したガイド部３９と、一方の側に突出形成した固定部４０とを備えるセンサブラケット４１と、このセンサブラケット４１の上面にネジ等で固定され、フォトセンサ４２等を有する基板４３と、図７では図示しないが、センサブラケット４１の底面内側に設けたＬＥＤと基板４３の裏面に設けたＣＣＤセンサ等で構成される読取センサ等から構成される。
【００２８】
読取部品３８は、後述するように、読取ユニット１２内に移動可能な状態で取り付けるか、位置を固定した状態で取り付けることができるようになっている。前記固定部４０は、読取部品３８を移動可能な状態とする場合は、ベルトの一部を固定できるようにするため、３本の突起部より構成され、３本の突起部のうち、中央の一本は、断面形状を逆三角形として、ベルトを移動しない状態で固定するようになっている。また、読取部品３８を位置を固定した状態とする場合は、この固定部４０を利用して、ロアカバー１２ａのフック部３７に読取部品３８を固定できるようにもなっている。
【００２９】
なお、ロアカバー１２ａに設けるフック部３７は、読取部品３８の取付位置を選べるように複数箇所、図６の例では４箇所に設けてある。
４４はロアーカバー１２に一体に形成したレール部で、このレール部４４に前記読取部品３８のガイド部３９が載る。このレール部４４は、ロアーカバー１２の内面の一部を幅方向に沿って窪ませた形状で、読取部品３８を移動可能な状態とする場合は、ガイド部３９がこのレール部４４に沿って動く。
【００３０】
レール部４４にガイド部３９を載せると、読取部品３８の図示しないＣＣＤセンサがロアカバー１２の読取面１７と対向する。読取部品３８の位置は可変であるので、共通のロアカバー１２で対応するには、読取面１７は幅方向全域にわたり透明である必要がある。このため、ロアカバー１２ａ全体を、透明な樹脂で一体に形成する。
【００３１】
読取ユニット１２のロアカバー１２ａは、読取ユニット取付部１３に取り付けるための機能として取付部１５が設けられ、媒体搬送路の上面ガイド１１ａの一部を構成する機能としてガイド部１６が設けられ、媒体に印刷された読取対象を透過して読み取るための読取窓の機能として読取面１７が設けられ、この読取面１７を保護する機能として突起部１８が設けられ、読取部品３８をガイドする機能としてレール部４４が設けられ、読取部品３８を取り付けるための機能としてフック部３７が設けられているが、これら構成を一体に形成することで、コストの低減が図れ、材質が樹脂であるので、一体成形により製造できるので、一層のコスト低減が図れるものである。
【００３２】
図８は読取部品を取り付けた状態の一例を示すロアカバーの斜視図、図９は読取部品を取り付けた状態の一例を示す読取ユニットの側断面図である。この図８および図９は、読取部品３８を移動可能な状態で取り付けたものである。
４５は取付ブラケットで、読取部品３８を移動可能な状態とするのに必要な部品が実装される。この取付ブラケット４５は、その両端側は断面形状が上方に開いたコの字状で、一方の側にはプーリ４６が回転自在に取り付けられ、他方の側にはモータ４７およびこのモータ４７の回転軸に取付られたプーリ４８が取り付けられている。取付ブラケット４５の中間部分は断面形状がＬ字状で、垂直面が前記ロアカバー１２ａのフック部３７に引っ掛かり、固定されるとともに、水平面の端部で一方のレール部４４の上面を塞ぐ。また、他方のレール部４４の側の上面は、アッパーカバー１２ｂを取り付けることで、該アッパーカバー１２ｂにより塞がれる。これにより、ガイド部３９がレール部４４から外れない状態で読取部品３８は移動可能な状態となる。
【００３３】
４９はベルトで、前記プーリ４６とプーリ４８に掛けられ、このベルト４９の一部が、前記固定部４０により読取部品３８に固定される。
図１０はベルト固定構造を示す斜視図で、ベルト４９は固定部４０の３本の突起部を交互に通すようになっており、３本の突起部のうち、中央の断面形状が逆三角形の突起部の頂点側に、ベルト４９の歯の付いた面が来るように通すことで、読取部品３８はベルト４９に対して固定され、これにより、モータ４７によりプーリ４８を回転させるとベルト４９が回転し、このベルト４９に固定部４０により固定されている読取部品３８が、レール部４４にガイドされて移動する。
【００３４】
５０はアッパーカバー１２ｂに一体に形成された突起部で、この突起部５０は読取部品３８の移動方向両端にそれぞれ設けられ、読取センサ３８が移動方向端部に移動すると、この読取部品３８に設けたフォトセンサ４２が突起部５０を検知することで、該読取部品３８の位置を判断できるようになっている。
なお、アッパーカバー１２ｂは、突起部５０を設けることと、透明である必要もないので、色のついた樹脂で形成して、コストの低減を図る。また、アッパーカバー１２ｂとロアカバー１２ａは、爪部を嵌める等の構造で一体にできるようにして、工具を用いることなく組み立てができるようにする。そして、読取ユニット１２を、ロアカバー１２ａとアッパーカバー１２ｂで覆う構造とすることで、読取部品３８の防塵性を高めている。
【００３５】
図１１は読取部品を取り付けた状態の一例を示す読取ユニットの側断面図で、この図１１は、読取部品３８を位置を固定した状態で取り付けたものである。図１２は取付金具の一例を示す斜視図である。
５１は取付金具で、読取部品３８を位置を固定した状態で取り付ける場合、この取付金具５１の上が開口したコの字状の部分を固定部４０にはめ、Ｌ字状の垂直面をフック部３７にネジにより固定する。これにより、読取部品３８は、上下方向は取付金具５１とアッパカバー１２ｂでガイド部３９を押さえることで固定され、左右方向は、取付金具５１で固定部４０にはまることで固定されるので、該読取部品３８は位置を固定した状態でロアカバー１２ａに取付られる。なお、フック部３７を複数箇所に設けてあるので、仕様に合わせて読取部品３８の取付位置を変えることができる。読取部品３８を位置を固定した状態で取り付ける場合、取付金具５１のみで取り付けられ、モータやベルド等の部品が不要であるので、読取ユニット１２のコストの低減が図れる。
【００３６】
上述したように、固定部４０は、読取部品３８を移動可能な状態とする場合はベルト４９を固定する機能を有し、読取部品３８を位置を固定した状態とする場合は取付金具５１をはめる機能を有する。このように、１つの部品で２つの機能を持たせたので、コストの低減を図ることができる。
金融機関によって、通帳のページマークの位置が異なるので、従来は、読取センサの設ける位置の異なる通帳伝票プリンタを製造する必要があった。また、読取範囲が広めに設定してある場合、可動式の読取センサを設けなければならず、製造する通帳伝票プリンタの種類が増え、結果として同じ種類で製造できる台数が少なくなるので、コスト上昇の原因となっていた。
【００３７】
本発明では、媒体搬送路の幅方向全域にわたるケースを持つ読取ユニット１２を備え、この内部に実装する読取部品３８の位置を変えることで、異なる読取位置に対応し、さらには読取部品３８を移動可能とする機構を備えれば、読取範囲を移動させることもできることになり、通帳伝票プリンタは同じ種類のもので済むので、結果として同じ種類で製造できる台数が増えるので、コストの低減を図ることができる。
【００３８】
さらに、ロアカバー１２ａ、アッパカバー１２ｂ、読取部品３８は同一の構成で、読取部品３８を移動可能な状態で取り付けるか、位置を固定した状態で取り付けることができるので、読取ユニット１２自体も部品の共通化が図れ、コストの低減が図れる。
図１３はＯＣＲユニットの外観斜視図である。
【００３９】
通帳伝票プリンタに、媒体に記載された文字をイメージとして読み取り、認識するためのＯＣＲ装置を組み込む需要がある。本発明では、外観形状は図３で説明した読取ユニット１２の形状とほぼ同じとし、特に、取付部１５、ガイド部１６、取付アーム２０、突起２１、耳部２２の形状は同じとし、読取面５２にイメージセンサを並べたＯＣＲユニット５３を作成すれば、ＣＣＤセンサの読取ユニット１２に変えて、このＯＣＲユニット５３を、通帳伝票プリンタの構造を変えることなく実装でき、ユーザの要求に対して、通帳伝票プリンタの構造を変えることなく対応できる。ＣＣＤセンサの読取ユニット１２とＯＣＲユニットは両方を実装する必要はないので、取付機構を同一としてどちらか一方の実装できるようにしておけば、装置の小型化にもつながるものである。
【００４０】
図１４は通帳伝票プリンタの制御ブロック図である。
５４は通帳伝票プリンタの主制御部である。この主制御部５４に、図５で説明したインサータユニット２７ａ、印字ユニット２７ｂ、ＡＴＰユニット２７ｃが接続される。なお、この図１４では、インサータユニット２７ａとＡＴＰユニット２７ｃの詳細は図示しない。また、印字ユニット２７ｂにおける印字ヘッドおよびプラテンに関する制御ブロックの詳細も図示しない。
【００４１】
上述したように、通帳伝票プリンタには、読取部品３８を位置を固定した状態で実装した読取ユニット１２、読取部品３８を移動可能な状態で実装した読取ユニット１２、ＯＣＲユニット５３のいずれかが実装される。
図１４（ａ）に示すように、主制御部５４は、読取部品３８を位置を固定した状態で実装した読取ユニット１２が実装してある場合、搬送モータ５５を制御して、媒体、ここでは通帳をページマークが読取面１７に対向する位置まで搬送し、次に、読取部品３８のＣＣＤセンサ５６の出力を受け、ページマークを読み取り、開いているページを認識する。
【００４２】
図１４（ｂ）に示すように、主制御部５４は、読取部品３８を移動可能な状態で実装した読取ユニット１２が実装してある場合、搬送モータ５５を制御して、媒体、ここでは通帳をページマークが読取面１７に対向する位置まで搬送し、次に、モータ４７を制御して読取部品３８をＣＣＤセンサ５６がページマークに対向する位置まで移動させ、次に、読取部品３８のＣＣＤセンサ５６の出力を受け、ページマークを読み取り、開いているページを認識する。また、主制御部５４は、フォトセンサ４２の出力を受け、読取部品３８が読取ユニット１２内で左端あるいは右端まで移動したことを認識して、該読取部品３８の位置管理を行う。
【００４３】
図１４（ｃ）に示すように、主制御部５４は、ＯＣＲユニット５３が実装してある場合、搬送モータ５５を制御して、媒体、ここでは通帳をページマークが読取面５２に対向する位置まで搬送し、次に、イメージセンサ５７の出力を受け、ページマークをイメージデータとして読み取り、画像処理を行って、開いているページを認識する。
【００４４】
また、ＯＣＲユニット５３が実装してある場合、主制御部５４は、搬送モータ５５を制御して、伝票の所定位置が読取面５２に対向する位置まで該伝票を搬送し、次に、イメージセンサ５７の出力を受け、伝票上の記載内容、例えば、手書きで記入された内容をイメージデータとして読み取り、画像処理を行って、伝票上の記入内容を認識する。
【００４５】
【発明の効果】
以上説明したように、本発明は、用途に合わせて電子部品を交換することにより、複数の機能の中から必要な機能を選択して実装する媒体処理装置において、前記電子部品を用途毎にケースで囲んでユニット化するとともに、このユニット化した電子部品を、そのケースの一部が媒体搬送路の媒体ガイドとなるように取り付けたので、ユニット化した電子部品として、媒体に記録されたデータを読み取る機能を持つものを実装することとすれば、媒体処理装置は共通の構造であっても、ケース内の電子部品の構成により、読取対象や読取対象の位置の異なる媒体に対応できる。
【００４６】
すなわち、媒体処理装置は共通の構造であっても、ユニット化された電子部品として、ＣＣＤセンサ等の読取センサを実装したものを取り付ければ、読取対象が通帳のページマークである媒体処理装置を構成でき、また、ユニット化された電子部品として、ＣＣＤセンサ等の読取センサを、その位置を移動可能な状態で実装したものを取り付ければ、読取対象が通帳のページマークで、かつ、読取位置の変化に対応可能な媒体処理装置を構成でき、さらに、ユニット化された電子部品としてＯＣＲを実装したものを取り付ければ、読取対象が通帳のページマークだけでなく、伝票の記載内容も含む媒体処理装置を構成できる。
【００４７】
したがって、同じ構造の媒体処理装置を多く製造できるので、コストを低減できる。
また、ユニット化した電子部品として光学式の読取部品を実装したもののケースは、媒体搬送路の媒体ガイドを構成する部分と媒体の読取面とを一体に形成した透明なロアカバーと、該ロアカバーに取り付けられるアッパーカバーとより構成されるので、読取部品を防塵を図れる。
【００４８】
さらに、前記読取面は、その周囲の部分より凹ませた形状としたので、読取面を汚れ難くして、メンテナンスコストの低減を図れる。
また、前記ロアカバーの媒体搬送路を構成する部分に、該ロアカバーと装置の媒体搬送路の媒体ガイドとの間で媒体を受け渡す媒体搬送ガイドを一体に設けたので、ロアカバーに、媒体を搬送障害を起こすことなく搬送できる媒体搬送路を構成する機能を持たせることができ、さらに、ロアカバーの内部に、読取部品を移動可能な状態で支持するレール部を一体に設けたので、別個の部品の組み合わせでなく、ロアカバーに、複数の機能を一体に設けることで、コストの低減を図れる。
【００４９】
また、前記アッパーカバーに、読取部品の位置を検知する突起部を一体に設けたので、やはり、別個の部品の組み合わせでなく、アッパカバーにも複数の機能を一体に設けることで、コストの低減を図れる。
さらに、前記読取部品に、該読取部品移動用のベルトを固定する形状と、読取部品を位置を固定して取り付ける場合の取付部材を取り付ける形状を併せ持つ固定部を設けたので、読取部品を移動可能な状態で取り付ける場合と、位置を固定して取り付ける場合で、部品の共通化が図れ、コストの低減を図れる。
【図面の簡単な説明】
【図１】本発明の媒体処理装置の実施の形態の一例を示す説明図
【図２】印字ユニットの要部側面図
【図３】読取ユニットの外観斜視図
【図４】通帳伝票プリンタの外観斜視図
【図５】通帳伝票プリンタの概略構成図
【図６】ロアカバーの斜視図
【図７】読取部品の斜視図
【図８】読取部品を取り付けた状態の一例を示すロアカバーの斜視図
【図９】読取部品を取り付けた状態の一例を示す読取ユニットの側断面図
【図１０】ベルト固定構造を示す斜視図
【図１１】読取部品を取り付けた状態の一例を示す読取ユニットの側断面図
【図１２】取付金具の一例を示す斜視図
【図１３】ＯＣＲユニットの外観斜視図
【図１４】通帳伝票プリンタの制御ブロック図
【符号の説明】
１２  読取ユニット
１３  読取ユニット取付部
１４  溝部
１６  ガイド部
【図１】
0004344838.tif 000002
【図２】
0004344838.tif 000003
【図３】
0004344838.tif 000004
【図４】
0004344838.tif 000005
【図５】
0004344838.tif 000006
【図６】
0004344838.tif 000007
【図７】
0004344838.tif 000008
【図８】
0004344838.tif 000009
【図９】
0004344838.tif 000010
【図１０】
0004344838.tif 000011
【図１１】
0004344838.tif 000012
【図１２】
0004344838.tif 000013
【図１３】
0004344838.tif 000014
【図１４】
0004344838.tif 000015